(57)【要約】【課題】資格を有さない者が車両等の移動体を検査する不都合の発生を抑制する。【解決手段】本発明は、移動体を識別する移動体識別情報を取得する移動体識別情報取得部１７と、検査者の生体情報に基づき、検査者認証処理を実行する認証部１４と、検査項目を識別する検査項目識別情報を取得する検査項目識別情報取得部１８と、移動体識別情報と、検査項目識別情報と、検査者認証処理で認証された検査者の検査者識別情報とを対応付けて、記憶部２０に記憶させる出力部１５と、を有する処理システム１０を提供する。【選択図】図１４
2020135225.tif 000002
【特許請求の範囲】
【請求項１】
移動体を識別する移動体識別情報を取得する移動体識別情報取得手段と、
検査者の生体情報に基づき、検査者認証処理を実行する認証手段と、
検査項目を識別する検査項目識別情報を取得する検査項目識別情報取得手段と、
前記移動体識別情報と、前記検査項目識別情報と、前記検査者認証処理で認証された検査者の検査者識別情報とを対応付けて、記憶手段に記憶させる出力手段と、
を有する処理システム。
【請求項２】
請求項１に記載の処理システムにおいて、
複数の前記検査項目各々の検査場に、前記移動体識別情報又は前記生体情報を取得する端末が設置されており、
前記検査項目識別情報取得手段は、前記移動体識別情報及び前記生体情報を取得した前記端末の端末識別情報と、前記端末識別情報と前記検査項目識別情報とを対応付けた対応情報とに基づき、前記検査項目識別情報を取得する処理システム。
【請求項３】
請求項１又は２に記載の処理システムにおいて、
検査結果情報を取得する検査結果取得手段をさらに有し、
前記出力手段は、前記検査項目識別情報に前記検査結果情報を対応付けて、前記記憶手段に記憶させる処理システム。
【請求項４】
請求項１から３のいずれか１項に記載の処理システムにおいて、
検査実施日時情報を取得する検査日時取得手段をさらに有し、
前記出力手段は、前記検査項目識別情報に前記検査実施日時情報を対応付けて、前記記憶手段に記憶させる処理システム。
【請求項５】
請求項１から４のいずれか１項に記載の処理システムにおいて、
移動体が指定位置にあることを検出する検出手段と、
認証開始をリクエストするユーザ入力を受付ける入力受付手段と、
前記移動体が前記指定位置にあることを検出されている状態で前記ユーザ入力が受付けられた場合、生体情報を取得する取得処理を実行する生体情報取得手段と、
をさらに有し、
前記認証手段は、前記取得処理で取得された生体情報に基づき前記検査者認証処理を実行する処理システム。
【請求項６】
請求項１から４のいずれか１項に記載の処理システムにおいて、
移動体が指定位置にあることを検出する検出手段と、
認証開始をリクエストするユーザ入力を受付ける入力受付手段と、
生体情報を取得する取得処理を実行する生体情報取得手段と、
をさらに有し、
前記認証手段は、前記移動体が前記指定位置にあることを検出されている状態で前記ユーザ入力が受付けられた場合、前記取得処理で取得された前記生体情報に基づき前記検査者認証処理を実行する処理システム。
【請求項７】
請求項１から４のいずれか１項に記載の処理システムにおいて、
移動体が指定位置にあることを検出する検出手段と、
認証開始をリクエストするユーザ入力を受付ける入力受付手段と、
生体情報を取得する取得処理を実行する生体情報取得手段と、
をさらに有し、
前記認証手段は、前記取得処理で取得された生体情報に基づき前記検査者認証処理を実行し、
前記移動体が前記指定位置にあることを検出されている状態で前記ユーザ入力が受付けられ、かつ、認証結果が認証成功である場合、所定の出力処理を実行する出力手段をさらに有する処理システム。
【請求項８】
コンピュータが、
移動体を識別する移動体識別情報を取得する移動体識別情報取得工程と、
検査者の生体情報に基づき、検査者認証処理を実行する認証工程と、
検査項目を識別する検査項目識別情報を取得する検査項目識別情報取得工程と、
前記移動体識別情報と、前記検査項目識別情報と、前記検査者認証処理で認証された検査者の検査者識別情報とを対応付けて、記憶手段に記憶させる出力工程と、
を実行する処理方法。
【発明の詳細な説明】
【技術分野】
【０００１】
本発明は、処理システム及び処理方法に関する。
【背景技術】
【０００２】
特許文献１は、車両に設置されたカメラが当該車両の座席に着席した乗員の画像を撮像し、撮像された画像に基づき認証処理を行う技術を開示している。
【先行技術文献】
【特許文献】
【０００３】
【特許文献１】国際公開第２００５／０３２８９５号
【発明の概要】
【発明が解決しようとする課題】
【０００４】
資格を有さない者が車両を検査する問題がある。特許文献１は、当該課題及び解決する手段を開示していない。本発明は、資格を有さない者が車両等の移動体を検査する不都合の発生を抑制することを課題とする。
【課題を解決するための手段】
【０００５】
本発明によれば、
移動体を識別する移動体識別情報を取得する移動体識別情報取得手段と、
検査者の生体情報に基づき、検査者認証処理を実行する認証手段と、
検査項目を識別する検査項目識別情報を取得する検査項目識別情報取得手段と、
前記移動体識別情報と、前記検査項目識別情報と、前記検査者認証処理で認証された検査者の検査者識別情報とを対応付けて、記憶手段に記憶させる出力手段と、
を有する処理システムが提供される。
【０００６】
また、本発明によれば、
コンピュータが、
移動体を識別する移動体識別情報を取得する移動体識別情報取得工程と、
検査者の生体情報に基づき、検査者認証処理を実行する認証工程と、
検査項目を識別する検査項目識別情報を取得する検査項目識別情報取得工程と、
前記移動体識別情報と、前記検査項目識別情報と、前記検査者認証処理で認証された検査者の検査者識別情報とを対応付けて、記憶手段に記憶させる出力工程と、
を実行する処理方法が提供される。
【発明の効果】
【０００７】
本発明によれば、資格を有さない者が車両等の移動体を検査する不都合の発生が抑制される。
【図面の簡単な説明】
【０００８】
【図１】本実施形態の処理システムの全体像の一例を示す図である。
【図２】本実施形態の処理装置のハードウエア構成の一例を示す図である。
【図３】本実施形態の処理システムの機能ブロック図の一例である。
【図４】本実施形態の処理システムが処理する情報の一例を模式的に示す図である。
【図５】本実施形態の処理システムが処理する情報の一例を模式的に示す図である。
【図６】本実施形態の処理システムの処理の流れの一例を示すフローチャートである。
【図７】本実施形態の処理システムの処理の流れの一例を示すフローチャートである。
【図８】本実施形態の処理システムの処理の流れの一例を示すフローチャートである。
【図９】本実施形態の処理システムの処理の流れの一例を示すフローチャートである。
【図１０】本実施形態の処理システムの全体像の一例を示す図である。
【図１１】本実施形態の処理システムの機能ブロック図の一例である。
【図１２】本実施形態の処理システムが処理する情報の一例を模式的に示す図である。
【図１３】本実施形態の処理システムの全体像の一例を示す図である。
【図１４】本実施形態の処理システムの機能ブロック図の一例である。
【図１５】本実施形態の処理システムが処理する情報の一例を模式的に示す図である。
【図１６】本実施形態の処理システムが処理する情報の一例を模式的に示す図である。
【図１７】本実施形態の処理システムの機能ブロック図の一例である。
【発明を実施するための形態】
【０００９】
＜第１の実施形態＞
まず、図１を用いて本実施形態の処理システムの全体像及びハードウエア構成の一例を説明する。検査場１００は、移動体３の検査を行う場所である。所定の資格を有する検査者（以下、単に「検査者」という場合がある）は、自分が担当している検査対象の移動体３を検査場１００の中に移動させ、検査場１００の中で各種検査を行う。移動体３は、普通自動車、自動二輪車、大型車等の車両が例示されるが、これらに限定されない。検査は、外観検査、性能検査（ブレーキ検査等）等である。
【００１０】
ゲートＧは、検査場１００に入場するためのゲートである。ゲート制御装置２は、ゲートＧの開閉を制御する。すなわち、ゲートＧは、ゲート制御装置２による制御により、自動で開閉する。本実施形態では、ゲートＧの前で、生体情報を用いて、移動体３を検査場１００中に移動させようとしている人が正当な検査者であるか否かを判断する認証処理を実行する。そして、認証に成功した場合（正当な検査者である場合）、ゲートＧが開く。結果、検査者は、移動体３を検査場１００の中に移動させ、検査場１００の中で各種検査を行うことができる。
【００１１】
一方、認証に失敗した場合（正当な検査者でない場合）、ゲートＧは開かない。結果、その人は、移動体３を検査場１００の中に移動させることができず、移動体３の検査を行うことができない。
【００１２】
センサーＰは、移動体３がゲートＧの前の指定位置にあることを検出する装置である。センサーＰの構成は制限されない。例えば、センサーＰは、電磁波を照射し、その反射波を検出することで指定位置にある移動体３を検出してもよい。その他、センサーＰは物体の重量を測定するセンサーであり、測定結果に基づき移動体３がゲートＧの前の指定位置にあることを検出してもよい。その他、センサーＰに代えてカメラを設置し、画像解析で移動体３がゲートＧの前の指定位置にあることを検出してもよい。
【００１３】
生体情報取得装置Ｃ１及びＣ２は、生体情報を取得する装置である。生体情報は、顔情報（顔画像、顔画像から抽出された特徴量等）、指紋情報（指紋画像、指紋画像から抽出された特徴量等）、声情報（声紋画像、声紋画像又は音声データから抽出された特徴量等）、虹彩情報（虹彩画像、虹彩画像から抽出された特徴量等）、耳情報（耳穴の音響特性を示す情報）、静脈情報（静脈模様、静脈模様から抽出された特徴量等）等が例示されるが、これらに限定されない。
【００１４】
このような生体情報を取得する生体情報取得装置Ｃ１及びＣ２は、例えば、カメラ、指紋センサー、マイク、イヤホン、静脈センサー等である。なお、検査者は手袋をしている可能性があること、及び、認証処理の度に手袋を脱ぐのは面倒であることを考慮すると、生体情報は、顔情報、声情報、虹彩情報、耳情報等にするのが好ましい。
【００１５】
なお、生体情報取得装置Ｃ１及びＣ２は、移動体３に乗車した検査者から生体情報を取得できる位置に設置されてもよい。このようにすれば、検査者は認証処理のために移動体３から下車するという面倒を回避できる。図示する例の場合、移動体３が右ハンドルである場合、及び、左ハンドルである場合の両方に適応させるため、指定位置にある移動体３の左右両方に、２つの生体情報取得装置Ｃ１及びＣ２が設置されている。なお、生体情報取得装置Ｃ１又は生体情報取得装置Ｃ２のいずれか一方のみが設置されてもよい。また、検査者が移動体３から下車して操作する位置に生体情報取得装置Ｃ１及び／又は生体情報取得装置Ｃ２が設置されてもよい。
【００１６】
スイッチＳ１及びＳ２は、認証開始をリクエストするユーザ入力を受付ける。スイッチＳ１及びＳ２は、ロープスイッチ、物理ボタン、タッチパネル、マイク、マウス、キーボード等の任意の入力装置を介して、上記ユーザ入力を受付ける。
【００１７】
なお、スイッチＳ１及びＳ２は、移動体３に乗車した検査者が操作できる位置に設置されてもよい。このようにすれば、検査者は認証処理のために移動体３から下車するという面倒を回避できる。図示する例の場合、移動体３が右ハンドルである場合、及び、左ハンドルである場合の両方に適応させるため、指定位置にある移動体３の左右両方に、２つのスイッチＳ１及びＳ２が設置されている。なお、スイッチＳ１又はスイッチＳ２のいずれか一方のみが設置されてもよい。また、検査者が移動体３から下車して操作する位置にスイッチＳ１及び／又はスイッチＳ２が設置されてもよい。
【００１８】
出力装置Ｄは、認証結果等の各種情報を出力する。出力装置Ｄは、ディスプレイ、スピーカ、警告ランプ、投影装置等であるが、これらに限定されない。
【００１９】
処理装置１は、スイッチＳ１及びＳ２、生体情報取得装置Ｃ１及びＣ２及びセンサーＰと通信し、スイッチＳ１及びＳ２、生体情報取得装置Ｃ１及びＣ２及びセンサーＰが取得／生成した情報を取得する。そして、処理装置１は、取得した情報に基づき認証処理を実行する。そして、処理装置１は、認証結果を出力装置Ｄに送信して出力させたり、認証結果に基づきゲートＧを開く指示信号をゲート制御装置２に送信したりする。処理装置１の設置位置は特段制限されず、ゲートＧの近くに設置されてもよいし、ゲートＧから離れた位置に設置されてもよい。
【００２０】
ここで、処理装置１のハードウエア構成の一例について説明する。処理装置１が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２１】
なお、図１において、スイッチＳ１及びＳ２、生体情報取得装置Ｃ１及びＣ２、センサーＰ、出力装置Ｄ、ゲート制御装置２及び処理装置１を分けて記載しているが、これらは物理的及び／又は論理的に分かれていてもよいし、少なくとも一部が物理的及び論理的に一体となっていてもよい。
【００２２】
図２は、処理装置１のハードウエア構成を例示するブロック図である。図２に示すように、処理装置１は、プロセッサ１Ａ、メモリ２Ａ、入出力インターフェイス３Ａ、周辺回路４Ａ、バス５Ａを有する。周辺回路４Ａには、様々なモジュールが含まれる。処理装置１は周辺回路４Ａを有さなくてもよい。なお、処理装置１は物理的及び／又は論理的に分かれた複数の装置で構成されてもよい。この場合、複数の装置各々が上記ハードウエア構成を備えることができる。
【００２３】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサー、カメラ等から情報を取得するためのインターフェイスや、出力装置、外部装置、外部サーバ等に情報を出力するためのインターフェイスなどを含む。入力装置は、例えばキーボード、マウス、マイク、物理ボタン、タッチパネル等である。出力装置は、例えばディスプレイ、スピーカ、プリンター、メーラ等である。プロセッサ１Ａは、各モジュールに指令を出し、それらの演算結果をもとに演算を行うことができる。
【００２４】
なお、本明細書において、「取得」とは、ユーザ入力に基づき、又は、プログラムの指示に基づき、「自装置が他の装置や記憶媒体に格納されているデータを取りに行くこと（能動的な取得）」、たとえば、他の装置にリクエストまたは問い合わせして受信すること、他の装置や記憶媒体にアクセスして読み出すこと等、および、ユーザ入力に基づき、又は、プログラムの指示に基づき、「自装置に他の装置から出力されるデータを入力すること（受動的な取得）」、たとえば、配信（または、送信、プッシュ通知等）されるデータを受信すること、また、受信したデータまたは情報の中から選択して取得すること、及び、「データを編集（テキスト化、データの並び替え、一部データの抽出、ファイル形式の変更等）などして新たなデータを生成し、当該新たなデータを取得すること」の少なくともいずれか一方を含む。
【００２５】
次に、処理システム１０の構成を説明する。図３に、処理システム１０の機能ブロック図の一例を示す。図示するように、処理システム１０は、検出部１１と、入力受付部１２と、生体情報取得部１３と、認証部１４と、出力部１５と、記憶部２０とを有する。
【００２６】
検出部１１は、移動体３が指定位置にあることを検出する。検出部１１は、図１のセンサーＰ等により実現される機能部である。指定位置は、ゲートＧの前の任意の位置である。
【００２７】
入力受付部１２は、認証開始をリクエストするユーザ入力を受付ける。入力受付部１２は、図１のスイッチＳ１及びＳ２等により実現される機能部である。なお、入力受付部１２は、リモコンで、認証開始をリクエストするユーザ入力を受付けてもよい。
【００２８】
生体情報取得部１３は、生体情報を取得する取得処理を実行する。生体情報取得部１３は、図１の生体情報取得装置Ｃ１及びＣ２等により実現される機能部である。なお、生体情報取得部１３は、図１の生体情報取得装置Ｃ１及びＣ２と処理装置１等により実現される機能部であってもよい。生体情報取得装置Ｃ１及びＣ２は、顔画像、指紋画像、声紋画像、音声データ、虹彩画像、耳穴の音響特性を示す情報、静脈画像等のデータを取得する。
【００２９】
なお、生体情報取得装置Ｃ１及びＣ２、又は、処理装置１は、生体情報取得装置Ｃ１及びＣ２が取得した上記データに基づき、顔画像から抽出された特徴量、指紋画像から抽出された特徴量、声紋画像又は音声データから抽出された特徴量、虹彩画像から抽出された特徴量、耳穴の音響特性を示す情報、静脈模様から抽出された特徴量等の情報を生成してもよい。
【００３０】
生体情報取得部１３は、移動体３が指定位置にあることを検出されている状態で認証開始をリクエストするユーザ入力が受付けられた場合、当該ユーザ入力に応じて取得処理（画像の生成、録音等）を実行する。生体情報取得部１３は、移動体３が指定位置にあることを検出されていない状態で認証開始をリクエストするユーザ入力が受付けられた場合、取得処理を実行しない。
【００３１】
例えば、図１の処理装置１は、スイッチＳ１及びＳ２から認証開始をリクエストするユーザ入力を受付けたことを示す情報を取得する。また、処理装置１は、センサーＰから指定位置において移動体３が検出されているか否かを示す情報を取得する。そして、処理装置１は、スイッチＳ１及びＳ２及びセンサーＰから取得した情報に基づき、移動体３が指定位置にあることを検出されている状態で認証開始をリクエストするユーザ入力が受付けられたか否かを判断する。そして、処理装置１は、移動体３が指定位置にあることを検出されている状態で認証開始をリクエストするユーザ入力が受付けられたと判断した場合、生体情報取得装置Ｃ１及びＣ２に生体情報を取得する取得処理を実行させる。
【００３２】
図３に戻り、認証部１４は、生体情報取得部１３による取得処理で取得された生体情報に基づき検査者認証処理を実行する。認証部１４は、図１の処理装置１等により実現される機能部である。
【００３３】
図４に示すように、予め、複数の検査者を互いに識別する検査者識別情報と、各検査者の生体情報とが、互いに対応付けて、処理システム１０の記憶部２０に記憶されている。以下、生体情報取得部１３が取得した生体情報を「生体情報（処理対象）」と呼び、記憶部２０に記憶されている生体情報を「生体情報（参照情報）」と呼ぶ。認証部１４は、生体情報（処理対象）と記憶部２０に記憶されている生体情報（参照情報）とを照合し、生体情報（処理対象）が記憶部２０に記憶されているか確認する。記憶部２０に記憶されている場合、認証部１４は正当な検査者であると判断する（認証成功）。一方、記憶部２０に記憶されていない場合、認証部１４は正当な検査者でないと判断する（認証失敗）。
【００３４】
図３に戻り、出力部１５は、認証結果に基づく出力処理を実行する。出力部１５は、図１の処理装置１、出力装置Ｄ及びゲート制御装置２等により実現される機能部である。
【００３５】
出力部１５は、認証結果が認証成功である場合、ゲートＧを開く。例えば、図１の処理装置１は、認証結果が認証成功である場合、ゲートＧを開く指示信号をゲート制御装置２に送信する。ゲート制御装置２は、当該指示信号に応じてゲートＧを開く処理を実行する。
【００３６】
また、出力部１５は、認証結果を通知する処理を実行することができる。例えば、図１の処理装置１は、認証結果を出力装置Ｄに送信し、出力装置Ｄに出力させる。
【００３７】
なお、出力部１５は、図５に示すような入場履歴を生成し、記憶部２０に記憶させてもよい。出力部１５は、認証成功に応じてゲートＧを開くと、その時の日時と検査者識別情報とを対応付けて、記憶部２０に記憶させることができる。
【００３８】
次に、図６のフローチャートを用いて、処理システム１０の処理の流れの一例を説明する。
【００３９】
入力受付部１２が認証開始をリクエストするユーザ入力を受付けると（Ｓ１０のＹｅｓ）、生体情報取得部１３は、検出部１１の検出結果に基づき、その時点で、移動体３が指定位置にあることが検出されているか判断する（Ｓ１１）。
【００４０】
移動体３が指定位置にある場合（Ｓ１１のＹｅｓ）、生体情報取得部１３は、生体情報（処理対象）を取得する取得処理を実行する（Ｓ１２）。そして、認証部１４は、Ｓ１２で取得された生体情報（処理対象）に基づき検査者認証処理を実行する（Ｓ１３）。具体的には、認証部１４は、生体情報（処理対象）と、予め処理システム１０の記憶部２０に記憶されている生体情報（参照情報）とを照合し、生体情報（処理対象）が記憶部２０に記憶されているか確認する。記憶部２０に記憶されている場合、認証部１４は正当な検査者であると判断する（認証成功）。一方、記憶部２０に記憶されていない場合、認証部１４は正当な検査者でないと判断する（認証失敗）。
【００４１】
そして、出力部１５は、認証結果に基づく出力処理を実行する（Ｓ１４）。図７のフローチャートを用いて、Ｓ１４の処理の流れの一例を説明する。
【００４２】
認証結果が認証成功である場合（Ｓ２０のＹｅｓ）、出力部１５は、ゲートＧを開く。例えば、図１の処理装置１は、認証結果が認証成功である場合、ゲートＧを開く指示信号をゲート制御装置２に送信する。ゲート制御装置２は、当該指示信号に応じてゲートＧを開く処理を実行する。出力部１５は、認証成功に応じてゲートＧを開く指示信号をゲート制御装置２に送信すると、記憶部２０が記憶する入場履歴（図５参照）を更新してもよい。すなわち、出力部１５は、その時の日時と検査者識別情報とを対応付けて、記憶部２０に記憶させてもよい。
【００４３】
なお、処理装置１は、ゲートＧを開く指示信号をゲート制御装置２に送信した後に、ゲートＧを閉じる条件を満たすか監視し、当該条件を満たしたことを検出すると、ゲートＧを閉じる指示信号をゲート制御装置２に送信してもよい。ゲート制御装置２は、当該指示信号に応じてゲートＧを閉じる処理を実行する。上記条件は、「ゲートＧを開く指示信号をゲート制御装置２に送信してから所定時間経過した」、「移動体３が指定位置にあることが検出されなくなった（検出から非検出への変化の検出）」、「移動体３が指定位置にあることが検出されなくなってから所定時間経過した」などであるが、これらに限定されない。
【００４４】
一方、認証結果が認証失敗である場合（Ｓ２０のＮｏ）、出力部１５は、エラー処理を実行する（Ｓ２２）。例えば、図１の処理装置１は、認証が失敗したことを示す情報を出力装置Ｄに送信し、出力装置Ｄに当該情報を出力させる。
【００４５】
図６に戻り、移動体３が指定位置にない場合（Ｓ１１のＮｏ）、生体情報取得部１３、認証部１４及び出力部１５によるＳ１２乃至Ｓ１４の処理は実行されない。この場合、出力部１５は、移動体３が指定位置にないため検査者認証処理を実行しない旨を通知してもよい。例えば、図１の処理装置１は、当該通知を出力装置Ｄに送信し、出力されてもよい。
【００４６】
次に、本実施形態の処理システム１０の作用効果を説明する。本実施形態の処理システム１０は、ゲートＧの前で検査者認証処理を行い、認証成功に応じてゲートＧを開くことができる。このため、検査者以外が検査場１００に入る不都合の発生を抑制できる。結果、検査者でない者が移動体３の検査を行う不都合の発生を抑制できる。
【００４７】
また、本実施形態の処理システム１０は、生体情報を用いて検査者認証処理を行う。このため、なりすまし等の不正行為の発生を効果的に抑制できる。
【００４８】
また、本実施形態の処理システム１０によれば、移動体３が指定位置にあることを検出されている状態で認証開始をリクエストするユーザ入力が受付けられた場合、生体情報を取得する取得処理を実行し、検査者認証処理を実行する。このような条件を設けることで、移動体３を伴っていない検査に関係ない者が検査場１００に入場する不都合を効果的に抑制できる。結果、検査者でない者が移動体３の検査を行う不都合の発生を抑制できる。
【００４９】
また、本実施形態の処理システム１０によれば、図５に示すように、検査場１００への入場履歴を蓄積することができる。入場履歴を蓄積することで、不正行為の発生を抑制できる。
【００５０】
＜第２の実施形態＞
本実施形態の処理システム１０の全体像及びハードウエア構成の一例は、第１の実施形態の処理システム１０と同様である。
【００５１】
処理システム１０の機能ブロック図の一例は、第１の実施形態と同様に図３で示される。検出部１１、入力受付部１２、出力部１５及び記憶部２０の構成は第１の実施形態と同様である。
【００５２】
生体情報取得部１３は、入力受付部１２により認証開始をリクエストするユーザ入力が受付けられた場合、当該ユーザ入力に応じて取得処理（画像の生成、録音等）を実行する。すなわち、本実施形態の生体情報取得部１３は、移動体３が指定位置にあることを検出されているか否かに関わらず、上記ユーザ入力に応じて取得処理（画像の生成、録音等）を実行する。生体情報取得部１３のその他の構成は、第１の実施形態と同様である。
【００５３】
認証部１４は、移動体３が指定位置にあることを検出されている状態で入力受付部１２により認証開始をリクエストするユーザ入力が受付けられた場合、検査者認証処理を実行する。認証部１４は、移動体３が指定位置にあることを検出されていない状態で入力受付部１２により認証開始をリクエストするユーザ入力が受付けられた場合、検査者認証処理を実行しない。認証部１４のその他の構成は、第１の実施形態と同様である。
【００５４】
次に、図８のフローチャートを用いて、処理システム１０の処理の流れの一例を説明する。なお、図６のフローチャートと共通する点は、適宜説明を省略する。
【００５５】
入力受付部１２が認証開始をリクエストするユーザ入力を受付けると（Ｓ３０のＹｅｓ）、生体情報取得部１３は、生体情報（処理対象）を取得する取得処理を実行する（Ｓ３１）。次に、認証部１４は、検出部１１の検出結果に基づき、入力受付部１２が認証開始をリクエストするユーザ入力を受付けた時点で、移動体３が指定位置にあることが検出されていたか判断する（Ｓ３２）。
【００５６】
移動体３が指定位置にあった場合（Ｓ３２のＹｅｓ）、認証部１４は、Ｓ３１で取得された生体情報（処理対象）に基づき検査者認証処理を実行する（Ｓ３３）。
【００５７】
そして、出力部１５は、認証結果に基づく出力処理を実行する（Ｓ３４）。Ｓ３４の処理の一例は、第１の実施形態で説明したＳ１４の処理の流れの一例と同様である。
【００５８】
一方、移動体３が指定位置にない場合（Ｓ３２のＮｏ）、認証部１４及び出力部１５によるＳ３３及びＳ３４の処理は実行されない。この場合、出力部１５は、移動体３が指定位置にないため検査者認証処理を実行しない旨を通知してもよい。例えば、図１の処理装置１は、当該通知を出力装置Ｄに送信し、出力されてもよい。
【００５９】
以上説明した本実施形態の処理システム１０によれば、第１の実施形態の処理システム１０と同様の作用効果を実現できる。
【００６０】
＜第３の実施形態＞
本実施形態の処理システム１０の全体像及びハードウエア構成の一例は、第１の実施形態の処理システム１０と同様である。
【００６１】
処理システム１０の機能ブロック図の一例は、第１の実施形態と同様に図３で示される。検出部１１、入力受付部１２、認証部１４及び記憶部２０の構成は第１の実施形態と同様である。
【００６２】
生体情報取得部１３は、入力受付部１２により認証開始をリクエストするユーザ入力が受付けられた場合、当該ユーザ入力に応じて取得処理（画像の生成、録音等）を実行する。すなわち、本実施形態の生体情報取得部１３は、移動体３が指定位置にあることを検出されているか否かに関わらず、上記ユーザ入力に応じて取得処理（画像の生成、録音等）を実行する。生体情報取得部１３のその他の構成は、第１の実施形態と同様である。
【００６３】
出力部１５は、移動体３が指定位置にあることを検出されている状態で入力受付部１２により認証開始をリクエストするユーザ入力が受付けられ、かつ、認証結果が認証成功である場合、所定の出力処理（ゲートＧを開く）を実行する。認証部１４は、認証結果が認証成功であっても、移動体３が指定位置にあることを検出されていない状態で入力受付部１２により認証開始をリクエストするユーザ入力が受付けられた場合、所定の出力処理（ゲートＧを開く）を実行しない。出力部１５のその他の構成は、第１の実施形態と同様である。
【００６４】
次に、図９のフローチャートを用いて、処理システム１０の処理の流れの一例を説明する。なお、図６のフローチャートと共通する点は、適宜説明を省略する。
【００６５】
入力受付部１２が認証開始をリクエストするユーザ入力を受付けると（Ｓ４０のＹｅｓ）、生体情報取得部１３は、生体情報（処理対象）を取得する取得処理を実行する（Ｓ４１）。次に、認証部１４は、Ｓ４１で取得された生体情報（処理対象）に基づき検査者認証処理を実行する（Ｓ４２）。
【００６６】
次に、出力部１５は、検出部１１の検出結果に基づき、入力受付部１２が認証開始をリクエストするユーザ入力を受付けた時点で、移動体３が指定位置にあることが検出されていたか判断する（Ｓ４３）。また、出力部１５は、認証結果が認証成功であるか判断する（Ｓ４４）。
【００６７】
移動体３が指定位置にあり（Ｓ４３のＹｅｓ）、かつ、認証結果が認証成功である場合（Ｓ４４のＹｅｓ）、出力部１５は、ゲートＧを開く。
【００６８】
一方、移動体３が指定位置にない場合（Ｓ４３のＮｏ）、または、認証結果が認証失敗である場合（Ｓ４４のＮｏ）、出力部１５は、エラー処理を行う（Ｓ４６）。例えば、出力部１５は、移動体３が指定位置にないため、又は、検査者認証処理に失敗したため、ゲートＧが開かない旨を通知してもよい。例えば、図１の処理装置１は、当該通知を出力装置Ｄに送信し、出力されてもよい。
【００６９】
以上説明した本実施形態の処理システム１０によれば、第１の実施形態の処理システム１０と同様の作用効果を実現できる。
【００７０】
＜第４の実施形態＞
まず、図１０を用いて本実施形態の処理システム１０の全体像及びハードウエア構成の一例を説明する。本実施形態の処理システム１０のハードウエア構成は、入力装置Ｍ１及びＭ２を有する点で、第１乃至第３の実施形態の処理システム１０と異なる。その他のハードウエア構成は、第１乃至第３の実施形態のいずれかと同様である。
【００７１】
入力装置Ｍ１及びＭ２は、複数の移動体３を互いに識別する移動体識別情報の入力を受付ける装置である。入力装置Ｍ１及びＭ２は、例えば、移動体識別情報を示すコード（バーコード、二次元コード等）を読み取るリーダであってもよい。その他、入力装置Ｍ１及びＭ２は、移動体識別情報の入力を受付ける物理ボタン、タッチパネル、マイク、マウス、キーボード等の装置であってもよい。
【００７２】
なお、入力装置Ｍ１及びＭ２は、移動体３に乗車した検査者が操作できる位置に設置されてもよい。このようにすれば、検査者は移動体識別情報を入力するために移動体３から下車するという面倒を回避できる。図示する例の場合、移動体３が右ハンドルである場合、及び、左ハンドルである場合の両方に適応させるため、指定位置にある移動体３の左右両方に、２つの入力装置Ｍ１及びＭ２が設置されている。なお、入力装置Ｍ１又は入力装置Ｍ２のいずれか一方のみが設置されてもよい。また、検査者が移動体３から下車して操作する位置に入力装置Ｍ１及び／又は入力装置Ｍ２が設置されてもよい。
【００７３】
なお、図１０において、スイッチＳ１及びＳ２、生体情報取得装置Ｃ１及びＣ２、センサーＰ、出力装置Ｄ、入力装置Ｍ１及びＭ２、ゲート制御装置２及び処理装置１を分けて記載しているが、これらは物理的及び／又は論理的に分かれていてもよいし、少なくとも一部が物理的及び論理的に一体となっていてもよい。
【００７４】
図１１に、処理システム１０の機能ブロック図の一例を示す。図示するように、処理システム１０は、検出部１１と、入力受付部１２と、生体情報取得部１３と、認証部１４と、出力部１５と、移動体識別情報取得部１７と、記憶部２０とを有する。検出部１１、入力受付部１２、生体情報取得部１３、認証部１４及び記憶部２０の構成は第１乃至第３の実施形態のいずれかと同様である。
【００７５】
移動体識別情報取得部１７は、移動体識別情報を取得する。移動体識別情報取得部１７は、図１０の入力装置Ｍ１及びＭ２等により実現される機能部である。
【００７６】
出力部１５は、移動体識別情報取得部１７が取得した移動体識別情報を、図１２に示すように入場履歴の一部として記憶部２０に記憶させる。図１２に示す入場履歴は、移動体識別情報の項目を有する点で、上述した図５に示す入場履歴と異なる。
【００７７】
処理システム１０のその他の構成及び処理の流れの一例は、第１乃至第３の実施形態のいずれかと同様である。
【００７８】
以上説明した本実施形態の処理システム１０によれば、第１乃至第３の実施形態の処理システム１０と同様の作用効果を実現できる。また、本実施形態の処理システム１０によれば、検査場１００に入場した検査者がどの移動体３とともに入場したかを示す履歴を蓄積することができる。入場関連の情報をより細かく蓄積することで、不正行為の発生を抑制できる。
【００７９】
＜第５の実施形態＞
まず、図１３を用いて本実施形態の処理システム１０の全体像及びハードウエア構成の一例を説明する。本実施形態では、複数の検査（外観検査、ブレーキ検査等）各々を行う検査場１０１及び１０２等が予め定められている。
【００８０】
なお、複数の検査場１０１及び１０２等は、予め定められた検査を行う場所にまとまって存在してもよい。例えば、複数の検査場１０１及び１０２等は、図１の検査場１００の中に位置してもよい。この場合、本実施形態の処理システム１０は、第１乃至第４の実施形態で説明した「ゲートＧの前で生体認証を行い、生体認証の結果に基づきゲートＧの開閉を制御する機能等」を備えてもよい。
【００８１】
その他、複数の検査場１０１及び１０２等は、上述のように一か所にまとまって存在せず、点在してもよい。この場合、本実施形態の処理システム１０は、第１乃至第４の実施形態で説明した「ゲートＧの前で生体認証を行い、生体認証の結果に基づきゲートＧの開閉を制御する機能等」を備えなくてもよい。
【００８２】
そして、各検査を行う検査場に、スイッチＳ１及びＳ２、生体情報取得装置Ｃ１及びＣ２、センサーＰ、出力装置Ｄ及び入力装置Ｍ１及びＭ２が設置されている。
【００８３】
なお、スイッチＳ１及びＳ２、生体情報取得装置Ｃ１及びＣ２、センサーＰ、出力装置Ｄ、入力装置Ｍ１及びＭ２、及び処理装置１は物理的及び／又は論理的に分かれていてもよいし、少なくとも一部が物理的及び論理的に一体となっていてもよい。
【００８４】
また、各検査場には、スイッチＳ１及びＳ２の一方のみが設置されてもよい。また、生体情報取得装置Ｃ１及びＣ２の一方のみが設置されてもよい。また、入力装置Ｍ１及びＭ２の一方のみが設置されてもよい。
【００８５】
スイッチＳ１及びＳ２、生体情報取得装置Ｃ１及びＣ２、センサーＰ、出力装置Ｄ及び入力装置Ｍ１及びＭ２の構成は、第１乃至第４の実施形態のいずれかと同様である。
【００８６】
図示しないが、処理システム１０は、処理装置１を有する。そして、スイッチＳ１及びＳ２、生体情報取得装置Ｃ１及びＣ２、センサーＰ、出力装置Ｄ及び入力装置Ｍ１及びＭ２は処理装置１と通信可能になっている。
【００８７】
図１４に、処理システム１０の機能ブロック図の一例を示す。図示するように、処理システム１０は、検出部１１と、入力受付部１２と、生体情報取得部１３と、認証部１４と、出力部１５と、移動体識別情報取得部１７と、検査項目識別情報取得部１８と、記憶部２０とを有する。
【００８８】
検出部１１、入力受付部１２、生体情報取得部１３、認証部１４及び移動体識別情報取得部１７の構成は、第１乃至第４の実施形態のいずれかと同様である。
【００８９】
検査項目識別情報取得部１８は、検査項目を識別する検査項目識別情報を取得する。検査項目識別情報取得部１８は、処理装置１等により実現される機能部である。
【００９０】
図１３に示すように、各検査を行う検査場１０１及び１０２等に、スイッチＳ１及びＳ２、生体情報取得装置Ｃ１及びＣ２、センサーＰ、出力装置Ｄ及び入力装置Ｍ１及びＭ２が設置される。そこで、図１５に示すように、予め、各検査場１０１及び１０２等で行われる検査の検査項目識別情報と、各検査場１０１及び１０２等に設置された端末（スイッチＳ１及びＳ２、生体情報取得装置Ｃ１及びＣ２、センサーＰ、出力装置Ｄ及び入力装置Ｍ１及びＭ等）の端末識別情報とを対応付けた対応情報を生成し、記憶部２０に記憶させておいてもよい。そして、検査項目識別情報取得部１８は、検出部１１、入力受付部１２又は生体情報取得部１３等が取得した情報の送信元である端末の端末識別情報に対応付けられている検査項目識別情報を、図１５に示す対応情報を参照して取得してもよい。
【００９１】
すなわち、検査項目識別情報取得部１８は、移動体識別情報又は生体情報を取得した端末の端末識別情報と、端末識別情報と検査項目識別情報とを対応付けた対応情報とに基づき、検査項目識別情報を取得してもよい。
【００９２】
その他、各検査者が、入力装置Ｍ１及びＭ２等を介して、検査項目識別情報を入力してもよい。そして、検査項目識別情報取得部１８は、入力装置Ｍ１及びＭ２等を介して入力された検査項目識別情報を取得してもよい。
【００９３】
図１４に示す出力部１５は、移動体識別情報取得部１７が取得した移動体識別情報と、検査項目識別情報取得部１８が取得した検査項目識別情報と、認証部１４による検査者認証処理で認証された検査者の検査者識別情報とを対応付けて、記憶部２０に記憶させる。
【００９４】
なお、図示しないが、処理システム１０は、さらに、各検査場１０１及び１０２等で検査を実施した検査実施日時を示す検査実施日時情報を取得する検査日時取得部をさらに有してもよい。検査日時取得部は、処理装置１等により実現される機能部である。例えば、検査日時取得部は、検出部１１、入力受付部１２又は生体情報取得部１３等が取得した情報の送信元である端末から、それら情報を取得した日時を示す検査実施日時情報を取得してもよい。その他、検査日時取得部は、検出部１１、入力受付部１２又は生体情報取得部１３等が各種情報を取得した日時を示す検査実施日時情報を取得してもよい。
【００９５】
出力部１５は、検査項目識別情報に検査実施日時情報を対応付けて、記憶部２０に記憶させる。
【００９６】
その他、図示しないが、処理システム１０は、さらに、各検査場１０１及び１０２等で行われた検査の結果を示す検査結果情報を取得する検査結果取得部を有してもよい。検査結果取得部は、処理装置１等により実現される機能部である。例えば、各検査場１０１及び１０２等に設置された入力装置Ｍ１及びＭ２が、検査結果の入力を受付けてもよい。そして、処理装置１は、入力装置Ｍ１及びＭ２に入力された検査結果情報を取得してもよい。
【００９７】
出力部１５は、検査項目識別情報に検査結果情報を対応付けて、記憶部２０に記憶させる。
【００９８】
図１６に、記憶部２０が記憶する検査履歴の一例を模式的に示す。図示する例では、検査項目識別情報、検査者識別情報、検査結果及び検査実施日時をまとめた情報を、移動体識別情報に対応付けている。
【００９９】
本実施形態の処理システム１０の処理の流れの一例は、図６のフローチャートで示される。そして、図６のＳ１４の処理の流れの一例は、図７のＳ２１の「ゲートを開く処理」を「図１６の検査履歴を更新する処理」に変更したものとなる。すなわち、Ｓ２１では、出力部１５は、検査項目識別情報、検査者識別情報及び検査実施日時情報等を、移動体識別情報に対応付けて登録する。なお、移動体識別情報取得部１７は、任意のタイミングで移動体識別情報を取得することができる。また、検査項目識別情報取得部１８は、任意のタイミングで検査項目識別情報を取得することができる。さらに、検査日時取得部は、任意のタイミングで検査実施日時情報を取得することができる。
【０１００】
以上説明した本実施形態の処理システム１０によれば、第１乃至第４の実施形態の処理システム１０と同様の作用効果を実現できる。また、本実施形態の処理システム１０によれば、複数の検査の実施毎に、生体認証を行うことができる。このため、資格を有さない者が移動体３を検査する不都合の発生を抑制できる。
【０１０１】
また、本実施形態の処理システム１０によれば、各移動体３の各検査を行った検査者を検査履歴として蓄積することができる。このため、資格を有さない者が移動体３を検査する不都合の発生を抑制できる。
【０１０２】
＜第６の実施形態＞
本実施形態の処理システム１０においては、生体情報取得装置Ｃ１及びＣ２はカメラである。図１７に、本実施形態の処理システム１０の機能ブロック図の一例を示す。図示するように、処理システム１０は、検出部１１と、入力受付部１２と、生体情報取得部１３と、認証部１４と、出力部１５と、窓状態検出部１６と、記憶部２０とを有する。処理システム１０は、さらに、移動体識別情報取得部１７及び検査項目識別情報取得部１８の少なくとも一方を有してもよい。検出部１１、入力受付部１２、認証部１４、移動体識別情報取得部１７、検査項目識別情報取得部１８及び記憶部２０の構成は、第１乃至第５の実施形態のいずれかと同様である。
【０１０３】
窓状態検出部１６は、移動体３の窓が開いていることを検出する。窓が開いているか否かを検出する手段は特段制限されない。例えば、指定位置にある移動体３の窓の位置に向けて電磁波を照射し、その反射波を検出し、電磁波が反射した物体までの距離を測定するセンサーを、指定位置にある移動体３の左右に設置してもよい。そして、測定した距離が基準値以下である場合に窓が閉まっていると判断し、測定した距離が基準値より大きい場合に窓が開いていると判断してもよい。
【０１０４】
生体情報取得部１３は、窓が開いていることを検出されている場合、認証開始をリクエストするユーザ入力に応じて移動体３に乗車している人の顔を撮影し、画像を生成する。なお、生体情報取得部１３は、窓が開いていること、及び、移動体３が指定位置にあることの両方を検出されている場合、認証開始をリクエストするユーザ入力に応じて移動体３に乗車している人の顔を撮影し、画像を生成してもよい。生体情報取得部１３のその他の構成は、第１乃至第５の実施形態のいずれかと同様である。
【０１０５】
出力部１５は、窓が開いていることを検出されていない状態で、認証開始をリクエストするユーザ入力が受付けられた場合、出力装置Ｄを介して、窓を開けることを促す案内を出力することができる。出力部１５のその他の構成は、第１乃至第５の実施形態のいずれかと同様である。
【０１０６】
処理システム１０のその他の構成は、第１乃至第５の実施形態のいずれかと同様である。
【０１０７】
以上説明した本実施形態の処理システム１０によれば、第１乃至第５の実施形態の処理システム１０と同様の作用効果を実現できる。また、本実施形態の処理システム１０によれば、移動体３の窓が閉まっており、移動体３に乗車している検査者とカメラ（生体情報取得装置Ｃ１及びＣ２）との間に窓ガラスが存在する場合、撮影せず、窓を開けることを促す案内を出力できる。窓が閉まっている状態で撮影しても、窓ガラスにおける光の反射により、生成された画像が不鮮明になる可能性がある。このような状態での撮影を回避することで、不要な撮影及び画像解析を回避し、処理システム１０の処理負担を軽減できる。また、不鮮明な画像に対する画像解析処理を回避できるので、その間の待ち時間を回避でき、作業を効率化することができる。
【０１０８】
＜第７の実施形態＞
本実施形態の処理システム１０においては、生体情報取得装置Ｃ１及びＣ２はカメラである。処理システム１０の機能ブロック図の一例は、図３、図１１、図１４又は図１７で示される。図示するように、処理システム１０は、検出部１１と、入力受付部１２と、生体情報取得部１３と、認証部１４と、出力部１５と、記憶部２０とを有する。また、処理システム１０は、窓状態検出部１６、移動体識別情報取得部１７及び検査項目識別情報取得部１８の中の少なくとも１つをさらに有してもよい。検出部１１、入力受付部１２、認証部１４、窓状態検出部１６、移動体識別情報取得部１７、検査項目識別情報取得部１８及び記憶部２０の構成は、第１乃至第６の実施形態のいずれかと同様である。
【０１０９】
生体情報取得部１３は、移動体３に乗車している人の顔を撮影し、画像を生成する取得処理を実行する。そして、生体情報取得部１３は、撮影エリア内で複数の人を検出している場合、認証開始をリクエストするユーザ入力が受付けられても、当該取得処理を実行しない。すなわち、生体情報取得部１３は、ファインダに写る画像内で複数の人を検出している場合、認証開始をリクエストするユーザ入力が受付けられても、撮影を実行しない。生体情報取得部１３のその他の構成は、第１乃至第６の実施形態のいずれかと同様である。
【０１１０】
出力部１５は、撮影エリア内で複数の人を検出している状態で認証開始をリクエストするユーザ入力が受付けられた場合、出力装置Ｄを介して、撮影エリア内に１人が位置するよう促す案内を出力することができる。出力部１５のその他の構成は、第１乃至第６の実施形態のいずれかと同様である。
【０１１１】
処理システム１０のその他の構成は、第１乃至第６の実施形態のいずれかと同様である。
【０１１２】
以上説明した本実施形態の処理システム１０によれば、第１乃至第６の実施形態の処理システム１０と同様の作用効果を実現できる。また、本実施形態の処理システム１０によれば、撮影エリア内（ファインダに写る画像内）で複数の人が検出されている場合、撮影せず、撮影エリア内に１人が位置するよう促す案内を出力することができる。画像内に複数の人がいる状態で画像を生成し、そのような画像に基づき生体認証を行うことを回避することで、誤認証等の不都合の発生を抑制できる。
【０１１３】
＜第８の実施形態＞
本実施形態の処理システム１０においては、生体情報取得装置Ｃ１及びＣ２はカメラである。処理システム１０の機能ブロック図の一例は、図３、図１１、図１４又は図１７で示される。図示するように、処理システム１０は、検出部１１と、入力受付部１２と、生体情報取得部１３と、認証部１４と、出力部１５と、記憶部２０とを有する。また、処理システム１０は、窓状態検出部１６、移動体識別情報取得部１７及び検査項目識別情報取得部１８の中の少なくとも１つをさらに有してもよい。検出部１１、入力受付部１２、窓状態検出部１６、移動体識別情報取得部１７、検査項目識別情報取得部１８及び記憶部２０の構成は、第１乃至第６の実施形態のいずれかと同様である。
【０１１４】
生体情報取得部１３は、移動体３に乗車している人の顔を撮影し、画像を生成する取得処理を実行する。生体情報取得部１３のその他の構成は、第１乃至第６の実施形態のいずれかと同様である。
【０１１５】
認証部１４は、生体情報取得部１３により生成された画像内で複数の人が検出された場合、検査者認証処理を実行しない。認証部１４のその他の構成は、第１乃至第６の実施形態のいずれかと同様である。
【０１１６】
出力部１５は、生体情報取得部１３により生成された画像内で複数の人が検出されたため、検査者認証処理が実行されなかった場合、出力装置Ｄを介して、撮影エリア内に１人が位置するよう促す案内を出力することができる。出力部１５のその他の構成は、第１乃至第６の実施形態のいずれかと同様である。
【０１１７】
処理システム１０のその他の構成は、第１乃至第６の実施形態のいずれかと同様である。
【０１１８】
以上説明した本実施形態の処理システム１０によれば、第１乃至第６の実施形態の処理システム１０と同様の作用効果を実現できる。また、本実施形態の処理システム１０によれば、生成された画像内で複数の人が検出された場合、検査者認証処理を実行せず、撮影エリア内に１人が位置するよう促す案内を出力することができる。複数の人が含まれる画像に基づき生体認証を行うことを回避することで、誤認証等の不都合の発生を抑制できる。
【０１１９】
＜第９の実施形態＞
本実施形態の処理システム１０においては、生体情報取得装置Ｃ１及びＣ２はカメラである。処理システム１０の機能ブロック図の一例は、図３、図１１、図１４又は図１７で示される。図示するように、処理システム１０は、検出部１１と、入力受付部１２と、生体情報取得部１３と、認証部１４と、出力部１５と、記憶部２０とを有する。また、処理システム１０は、窓状態検出部１６、移動体識別情報取得部１７及び検査項目識別情報取得部１８の中の少なくとも１つをさらに有してもよい。検出部１１、入力受付部１２、認証部１４、窓状態検出部１６、移動体識別情報取得部１７、検査項目識別情報取得部１８及び記憶部２０の構成は、第１乃至第８の実施形態のいずれかと同様である。
【０１２０】
生体情報取得部１３は、移動体３に乗車している人の顔を撮影し、画像を生成する取得処理を実行する。そして、生体情報取得部１３は、ファインダに写る画像内で、移動体３よりも人がカメラ側に位置することを検出している場合、取得処理を実行しない。すなわち、生体情報取得部１３は、ファインダに写る画像内で、移動体３よりも人がカメラ側に位置することを検出している場合、認証開始をリクエストするユーザ入力が受付けられても、撮影を実行しない。生体情報取得部１３のその他の構成は、第１乃至第８の実施形態のいずれかと同様である。
【０１２１】
出力部１５は、ファインダに写る画像内で移動体３よりも人がカメラ側に位置することを検出している状態で、認証開始をリクエストするユーザ入力が受付けられた場合、移動体３に乗車した状態で撮影するよう促す案内を出力することができる。出力部１５のその他の構成は、第１乃至第８の実施形態のいずれかと同様である。
【０１２２】
処理システム１０のその他の構成は、第１乃至第８の実施形態のいずれかと同様である。
【０１２３】
以上説明した本実施形態の処理システム１０によれば、第１乃至第８の実施形態の処理システム１０と同様の作用効果を実現できる。また、本実施形態の処理システム１０によれば、ファインダに写る画像内で移動体３よりも人がカメラ側に位置することを検出している場合、撮影せず、移動体３に乗車した状態で撮影するよう促す案内を出力することができる。このような処理システム１０によれば、正当な資格を有さない者が検査のために移動体３に乗車した状態で、正当な資格を有するものがカメラに自身の顔を撮影させる不正行為の発生を抑制できる。
【０１２４】
＜第１０の実施形態＞
本実施形態の処理システム１０においては、生体情報取得装置Ｃ１及びＣ２はカメラである。処理システム１０の機能ブロック図の一例は、図３、図１１、図１４又は図１７で示される。図示するように、処理システム１０は、検出部１１と、入力受付部１２と、生体情報取得部１３と、認証部１４と、出力部１５と、記憶部２０とを有する。また、処理システム１０は、窓状態検出部１６、移動体識別情報取得部１７及び検査項目識別情報取得部１８の中の少なくとも１つをさらに有してもよい。検出部１１、入力受付部１２、窓状態検出部１６、移動体識別情報取得部１７、検査項目識別情報取得部１８及び記憶部２０の構成は、第１乃至第８の実施形態のいずれかと同様である。
【０１２５】
生体情報取得部１３は、移動体３に乗車している人の顔を撮影し、画像を生成する取得処理を実行する。生体情報取得部１３のその他の構成は、第１乃至第８の実施形態のいずれかと同様である。
【０１２６】
認証部１４は、生体情報取得部１３により生成された画像において、移動体３よりも人がカメラ側に位置する場合、検査者認証処理を実行しない。認証部１４は、画像を解析することで、移動体３よりも人がカメラ側に位置することを検出することができる。画像内の複数の物体の前後関係を特定する手段は広く知られているので、ここでの説明は省略する。認証部１４のその他の構成は、第１乃至第８の実施形態のいずれかと同様である。
【０１２７】
出力部１５は、生体情報取得部１３により生成された画像内において移動体３よりも人がカメラ側に位置することが検出されたため、出力装置Ｄを介して、検査者認証処理が実行されなかった場合、移動体３に乗車した状態で撮影するよう促す案内を出力することができる。出力部１５のその他の構成は、第１乃至第８の実施形態のいずれかと同様である。
【０１２８】
処理システム１０のその他の構成は、第１乃至第８の実施形態のいずれかと同様である。
【０１２９】
以上説明した本実施形態の処理システム１０によれば、第１乃至第８の実施形態の処理システム１０と同様の作用効果を実現できる。また、本実施形態の処理システム１０によれば、生成された画像内で複数の人が検出された場合、検査者認証処理を実行せず、撮影エリア内に１人が位置するよう促す案内を出力することができる。複数の人が含まれる画像に基づき生体認証を行うことを回避することで、誤認証等の不都合の発生を抑制できる。
【０１３０】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【０１３１】
上記の実施形態の一部又は全部は、以下の付記のようにも記載されうるが、以下には限定されない。
１．  移動体を識別する移動体識別情報を取得する移動体識別情報取得手段と、
検査者の生体情報に基づき、検査者認証処理を実行する認証手段と、
検査項目を識別する検査項目識別情報を取得する検査項目識別情報取得手段と、
前記移動体識別情報と、前記検査項目識別情報と、前記検査者認証処理で認証された検査者の検査者識別情報とを対応付けて、記憶手段に記憶させる出力手段と、
を有する処理システム。
２．  １に記載の処理システムにおいて、
複数の前記検査項目各々の検査場に、前記移動体識別情報又は前記生体情報を取得する端末が設置されており、
前記検査項目識別情報取得手段は、前記移動体識別情報及び前記生体情報を取得した前記端末の端末識別情報と、前記端末識別情報と前記検査項目識別情報とを対応付けた対応情報とに基づき、前記検査項目識別情報を取得する処理システム。
３．  １又は２に記載の処理システムにおいて、
検査結果情報を取得する検査結果取得手段をさらに有し、
前記出力手段は、前記検査項目識別情報に前記検査結果情報を対応付けて、前記記憶手段に記憶させる処理システム。
４．  １から３のいずれかに記載の処理システムにおいて、
検査実施日時情報を取得する検査日時取得手段をさらに有し、
前記出力手段は、前記検査項目識別情報に前記検査実施日時情報を対応付けて、前記記憶手段に記憶させる処理システム。
５．  １から４のいずれかに記載の処理システムにおいて、
移動体が指定位置にあることを検出する検出手段と、
認証開始をリクエストするユーザ入力を受付ける入力受付手段と、
前記移動体が前記指定位置にあることを検出されている状態で前記ユーザ入力が受付けられた場合、生体情報を取得する取得処理を実行する生体情報取得手段と、
をさらに有し、
前記認証手段は、前記取得処理で取得された生体情報に基づき前記検査者認証処理を実行する処理システム。
６．  １から４のいずれかに記載の処理システムにおいて、
移動体が指定位置にあることを検出する検出手段と、
認証開始をリクエストするユーザ入力を受付ける入力受付手段と、
生体情報を取得する取得処理を実行する生体情報取得手段と、
をさらに有し、
前記認証手段は、前記移動体が前記指定位置にあることを検出されている状態で前記ユーザ入力が受付けられた場合、前記取得処理で取得された前記生体情報に基づき前記検査者認証処理を実行する処理システム。
７．  １から４のいずれかに記載の処理システムにおいて、
移動体が指定位置にあることを検出する検出手段と、
認証開始をリクエストするユーザ入力を受付ける入力受付手段と、
生体情報を取得する取得処理を実行する生体情報取得手段と、
をさらに有し、
前記認証手段は、前記取得処理で取得された生体情報に基づき前記検査者認証処理を実行し、
前記移動体が前記指定位置にあることを検出されている状態で前記ユーザ入力が受付けられ、かつ、認証結果が認証成功である場合、所定の出力処理を実行する出力手段をさらに有する処理システム。
８．  コンピュータが、
移動体を識別する移動体識別情報を取得する移動体識別情報取得工程と、
検査者の生体情報に基づき、検査者認証処理を実行する認証工程と、
検査項目を識別する検査項目識別情報を取得する検査項目識別情報取得工程と、
前記移動体識別情報と、前記検査項目識別情報と、前記検査者認証処理で認証された検査者の検査者識別情報とを対応付けて、記憶手段に記憶させる出力工程と、
を実行する処理方法。
【符号の説明】
【０１３２】
１Ａ    プロセッサ
２Ａ    メモリ
３Ａ    入出力Ｉ／Ｆ
４Ａ    周辺回路
５Ａ    バス
１      処理装置
２      ゲート制御装置
３      移動体
１０    処理システム
１１    検出部
１２    入力受付部
１３    生体情報取得部
１４    認証部
１５    出力部
１６    窓状態検出部
１７    移動体識別情報取得部
１８    検査項目識別情報取得部
２０    記憶部
１００  検査場
１０１  検査場
１０２  検査場
Ｓ      スイッチ
Ｃ      生体情報取得装置
Ｐ      センサー
Ｄ      出力装置
Ｇ      ゲート
Ｍ      入力装置
【図１】
2020135225.tif 000003
【図２】
2020135225.tif 000004
【図３】
2020135225.tif 000005
【図４】
2020135225.tif 000006
【図５】
2020135225.tif 000007
【図６】
2020135225.tif 000008
【図７】
2020135225.tif 000009
【図８】
2020135225.tif 000010
【図９】
2020135225.tif 000011
【図１０】
2020135225.tif 000012
【図１１】
2020135225.tif 000013
【図１２】
2020135225.tif 000014
【図１３】
2020135225.tif 000015
【図１４】
2020135225.tif 000016
【図１５】
2020135225.tif 000017
【図１６】
2020135225.tif 000018
【図１７】
2020135225.tif 000019